(57)【要約】【課題】角膜矯正用コンタクトレンズを用いて角膜を矯正する際に、角膜ドームの中央部分の表面に酸素や涙液が入ることができるようにする。【解決手段】患者の角膜１２に接触する側の、角膜ドームの中央部に対応する位置に、直径が５ｍｍを超え８ｍｍ以下の貫通孔からなるリリーフ領域１８と凸部からなる押圧領域２０とが形成されていて、これらを角膜１２に押し付けて角膜１２の形状を変える際に、押圧領域２０により押された角膜１２の一部がリリーフ領域１８に突出できるようにしたリング状角膜矯正用コンタクトレンズ１０。【選択図】図１
2016081028.tif 000002
【特許請求の範囲】
【請求項１】
装着時に瞳孔に対応する部分が、直径４ｍｍ以上８ｍｍ以下の貫通孔とされたリング状コンタクトレンズ。
【請求項２】
前記貫通孔の直径が５ｍｍを超えることを特徴とした請求項１に記載のリング状コンタクトレンズ。
【請求項３】
患者の角膜に接触する側に、凹部からなるリリーフ領域と凸部からなる押圧領域とが形成されていて、少なくとも押圧領域を角膜に押し付けて角膜の形状を変えることにより、遠視又は老眼の少なくとも一方を矯正するための角膜矯正用コンタクトレンズであって、
前記リリーフ領域は、角膜に装着されたときに、角膜ドームの中央部に対応する位置で直径４ｍｍ以上８ｍｍ以下の貫通孔として形成されていて、角膜が前記貫通孔に突出して凸湾曲面を形成するようにされ、
前記押圧領域は、前記リリーフ領域の外周を囲む位置に形成された、断面が凸円弧形状の環状凸部からなり、
前記押圧領域の外周を囲む位置に設けられ、角膜に装着されたときに、角膜の輪郭に沿うような形状のアンカー領域、及び、このアンカー領域の外周を囲む周縁部のうち少なくともアンカー領域を有することを特徴とするリング状角膜矯正用コンタクトレンズ。
【請求項４】
前記貫通孔の直径が５ｍｍを超えることを特徴とした請求項３に記載のリング状角膜矯正用コンタクトレンズ。
【請求項５】
請求項３又は４において、
断面において、前記押圧領域は角膜側に凸の円弧形状とされ、前記貫通孔の内周面は前記押圧領域の凸円弧から滑らかに連続する貫通孔中心側に凸の円弧形状とされたことを特徴とするリング状角膜矯正用コンタクトレンズ。
【請求項６】
請求項３乃至５のいずれかにおいて、
前記押圧領域及びアンカー領域のうち、少なくとも前記押圧領域は不透明材料により形成されていることを特徴とするリング状角膜矯正用コンタクトレンズ。
【請求項７】
請求項３乃至６のいずれかにおいて、
前記押圧領域及びアンカー領域のうち、少なくとも前記押圧領域は紫外線を遮蔽するＵＶ遮蔽材料により形成されていることを特徴とするリング状角膜矯正用コンタクトレンズ。
【請求項８】
請求項３乃至７のいずれかにおいて、
前記アンカー領域の外周を囲む周縁部を有し、この周縁部の外径Ｄ１は、人間の角膜の外周縁の平均的外径Ｄ0よりも３．０〜５．０ｍｍ大きくされ、且つ、該周縁部における
直径がＤ0−３．０ｍｍ〜Ｄ0−５．０ｍｍの位置から最も外周までの環状領域での角膜に接触する側に、紫外線を遮蔽するＵＶ遮蔽膜を設けたことを特徴とするリング状角膜矯正用コンタクトレンズ。
【請求項９】
装着者の瞳孔に対応する部分を直径４ｍｍ以上８ｍｍ以下の貫通孔とし、その周囲を環状着色部としたカラーコンタクトレンズ。
【請求項１０】
請求項９において、前記貫通孔の直径が５ｍｍを超えることを特徴とするカラーコンタクトレンズ。
【請求項１１】
請求項９又は１０において、
断面において、前記貫通孔の内周面は、角膜に接触するレンズ内側面から連続する、貫通孔中心側に凸の円弧形状とされたことを特徴とするカラーコンタクトレンズ。
【発明の詳細な説明】
【技術分野】
【０００１】
本発明は、角膜ドーム中央部又は瞳孔に対応する部分が貫通孔とされたリング状コンタクトレンズに関し、特に、一定時間装着して、患者の角膜の形状を変えて、遠視が矯正された状態とするリング状角膜矯正用コンタクトレンズ及びカラーコンタクトレンズに関する。
【背景技術】
【０００２】
例えば、本発明者は特許文献１において、睡眠中等に装着して、患者の角膜の形状を変えることにより、取外した状態での近視及び／又は乱視を矯正するためのコンタクトレンズを提案している。本発明者は、その後、遠視又は老眼を矯正するための同様のコンタクトレンズも開発した。
【０００３】
図４に示されるように、上記のような近視矯正用のコンタクトレンズ（以下従来レンズ）１Ａは、患者の角膜２に接触する側に、凹部からなるリリーフ領域３と凸部からなる押圧領域４とが形成されていて、これらリリーフ領域３と押圧領域４とを角膜２に押し付けて角膜２の一部を押圧領域４が押し込むとともに、その反作用として、リリーフ領域３に角膜２の一部を突出させることにより、角膜２の形状を所望の裸眼視力を得ることができる形状あるいは円錐角膜を滑らかに押さえ込む形状に矯正するものである。
【０００４】
図５に示されるように、遠視又は老眼矯正用のコンタクトレンズ（以下従来レンズ）１Ｂのリリーフ領域５と押圧領域６は、近視矯正の場合と反対になる。
【０００５】
従来レンズ１Ｂでは、リリーフ領域５は角膜２に装着されたときに、角膜ドームの中央部に対応する位置で前方に凸湾曲面状に突出して形成されている。これに対して押圧領域６は、リリーフ領域５の外周を囲むようにして、断面が角膜側に凸円弧形状の環状凸部からなり、押圧領域６によって押し込められた角膜２の反作用として、角膜２の一部がリリーフ領域５の内側凹部内に入り込むようにしている。又、押圧領域６の外周を囲む位置には、角膜２に装着されたときに、角膜２の輪郭に沿うような形状のアンカー領域７を有している。又、更にそのアンカー領域７の外周を囲む周縁部８とを有していることもある。
【０００６】
又、視力矯正用コンタクトレンズとは別に、おしゃれ用カラーコンタクトレンズがある。
【０００７】
このおしゃれ用カラーコンタクトレンズは、瞳孔に対応する中央部分とその外側の環状部分があり、ここには環状着色が施されていて、中央部分は未着色であり、且つ、視力矯正機能がない。
【０００８】
これら従来の視力矯正用コンタクトレンズあるいはおしゃれ用カラーコンタクトレンズは、例えば、ドライアイ等の疾患の場合、使用することができなかったり、装着中にレンズの中心が瞳孔位置からずれたりすることがあった。又、角膜ドームの中央部分あるいは瞳孔に対応する部分は透明でなければならないので、出来上がりが不透明な状態となる３Ｄプリンターでは造形することができないという問題点がある。
【先行技術文献】
【特許文献】
【０００９】
【特許文献１】特許第３８８１２２１号公報
【発明の概要】
【発明が解決しようとする課題】
【００１０】
本発明は、視力矯正用コンタクトレンズやおしゃれ用を含むカラーコンタクトレンズにおいて、角膜ドームの中央部分の表面に酸素や涙液が供給されて、ドライアイの場合でも使用可能であり、又、不透明な材料によっても造形することができ、更に、瞳孔を中心とする位置からずれることがないようにしたリング状コンタクトレンズ、リング状角膜矯正用コンタクトレンズ及びおしゃれ用カラーコンタクトレンズを提供することを課題とする。
【課題を解決するための手段】
【００１１】
本発明者は、鋭意研究の結果、遠視、老眼のための角膜矯正用コンタクトレンズの場合、リリーフ領域は必ずしも角膜に接触する必要がなく、又、おしゃれ用カラーコンタクトレンズの場合は、瞳孔に対応する部分はいわゆる素通し状態であれば良いことを見出し、中央部分が貫通孔とされたリング状コンタクトレンズ、リング状角膜矯正用コンタクトレンズ及びリング状のカラーコンタクトレンズを開発した。
【００１２】
即ち、以下の実施例により上記課題を解決するものである。
【００１３】
（１）装着時に瞳孔に対応する部分が、直径４ｍｍ以上８ｍｍ以下の貫通孔とされたリング状コンタクトレンズ。
【００１４】
（２）前記貫通孔の直径が５ｍｍを超えることを特徴とした（１）に記載のリング状コンタクトレンズ。
【００１５】
（３）患者の角膜に接触する側に、凹部からなるリリーフ領域と凸部からなる押圧領域とが形成されていて、少なくとも押圧領域を角膜に押し付けて角膜の形状を変えることにより、遠視又は老眼の少なくとも一方を矯正するための角膜矯正用コンタクトレンズであって、前記リリーフ領域は、角膜に装着されたときに、角膜ドームの中央部に対応する位置で直径４ｍｍ以上８ｍｍ以下の貫通孔として形成されていて、角膜が前記貫通孔に突出して凸湾曲面を形成するようにされ、前記押圧領域は、前記リリーフ領域の外周を囲む位置に形成された、断面が凸円弧形状の環状凸部からなり、前記押圧領域の外周を囲む位置に設けられ、角膜に装着されたときに、角膜の輪郭に沿うような形状のアンカー領域、及び、このアンカー領域の外周を囲む周縁部のうち少なくともアンカー領域を有することを特徴とするリング状角膜矯正用コンタクトレンズ。
【００１６】
（４）前記貫通孔の直径が５ｍｍを超えることを特徴とした（３）に記載のリング状角膜矯正用コンタクトレンズ。
【００１７】
（５）断面において、前記押圧領域は角膜側に凸の円弧形状とされ、前記貫通孔の内周面は前記押圧領域の凸円弧から滑らかに連続する貫通孔中心側に凸の円弧形状とされたことを特徴とする（３）又は（４）に記載のリング状角膜矯正用コンタクトレンズ。
【００１８】
（６）前記押圧領域及びアンカー領域のうち、少なくとも前記押圧領域は不透明材料により形成されていることを特徴とする（３）乃至（５）のいずれかに記載のリング状角膜矯正用コンタクトレンズ。
【００１９】
（７）前記押圧領域及びアンカー領域のうち、少なくとも前記押圧領域は紫外線を遮蔽するＵＶ遮蔽材料により形成されていることを特徴とする（３）乃至（６）のいずれかに記載のリング状角膜矯正用コンタクトレンズ。
【００２０】
（８）前記アンカー領域の外周を囲む周縁部を有し、この周縁部の外径Ｄ１は、人間の角膜の外周縁の平均的外径Ｄ0よりも３．０〜５．０ｍｍ大きくされ、且つ、該周縁部における直径がＤ0−３．０ｍｍ〜Ｄ0−５．０ｍｍの位置から最も外周までの環状領域での角膜に接触する側に、紫外線を遮蔽するＵＶ遮蔽膜を設けたことを特徴とする（３）乃至（７）のいずれかに記載のリング状角膜矯正用コンタクトレンズ。
【００２１】
（９）装着者の瞳孔に対応する部分を直径４ｍｍ以上８ｍｍ以下の貫通孔とし、その周囲を環状着色部としたカラーコンタクトレンズ。
【００２２】
（１０）前記貫通孔の直径が５ｍｍを超えることを特徴とする（９）に記載のカラーコンタクトレンズ。
【００２３】
（１１）断面において、前記貫通孔の内周面は、角膜に接触するレンズ内側面から連続する、貫通孔中心側に凸の円弧形状とされたことを特徴とする（９）又は（１０）に記載のカラーコンタクトレンズ。
【発明の効果】
【００２４】
本発明に係るリング状コンタクトレンズは、装着時に、角膜ドームの中央部又は瞳孔に対応する中心部分が貫通孔とされているので、角膜ドームの中央部分の表面に酸素や涙液が供給されて、ドライアイの場合でも使用可能であり、又、不透明な材料によっても造形することができ、更に、瞳孔を中心とする位置からずれないようにすることができるという効果を有する。
【図面の簡単な説明】
【００２５】
【図１】本発明の実施例１に係るリング状角膜矯正用コンタクトレンズを模式的に示す断面図
【図２】図１のII−II線に沿うコンタクトレンズの背面図
【図３】本発明の実施例２に係るカラーコンタクトレンズを模式的に示す断面図
【図４】従来の近視矯正用のコンタクトレンズを角膜及び眼球の一部と共に模式的に示す断面図
【図５】従来の遠視又は老眼矯正用のコンタクトレンズを模式的に示す図４と同様の断面図
【発明を実施するための形態】
【００２６】
本実施形態に係るリング状角膜矯正用コンタクトレンズは、遠視又は老眼の患者の角膜に接触する側に、凹部からなるリリーフ領域と凸部からなる押圧領域とが形成されていて、これらリリーフ領域と押圧領域とを角膜に押し付けて角膜の一部を押圧領域が押し込むとともに、その反作用として、リリーフ領域に角膜の一部を突出させることにより、角膜の形状を所望の裸眼視力を得ることができる形状に矯正するものであり、リリーフ領域は、角膜ドームの中央部に対応する中心部が直径４ｍｍ以上８ｍｍ以下の貫通孔とされていて、ここに、押圧領域によって押された角膜の一部が突出されるようになっている。
【実施例１】
【００２７】
図１に示されるように、本発明の実施例１に係るリング状角膜矯正用コンタクトレンズ（以下リング状レンズ）１０は、遠視又は老眼矯正用であって、角膜１２に装着して用いられる。図１において、符号１４は水晶体を示す。
【００２８】
リング状レンズ１０は、角膜ドーム（角膜の前端面の最も隆起しているところ）の中央、もしくは、瞳孔に対応する位置で直径４ｍｍ以上８ｍｍ以下の貫通孔として形成されたリリーフ領域１８と、このリリーフ領域１８の外周を囲む位置に形成された、断面が、角膜側に凸円弧形状の環状凸部からなる押圧領域２０と、押圧領域２０の外周を囲む位置に設けられ、角膜１２に装着されたときに、角膜１２の輪郭２２（図２参照）に沿うような形状のアンカー領域２４と、このアンカー領域２４の外周を囲む周縁部２６とを有して構成されている。
【００２９】
リング状レンズ１０は、断面において、押圧領域２０が角膜１２側に凸の円弧形状とされ、リリーフ領域１８である貫通孔の内周面２０Ａは押圧領域２０の凸円弧１８Ａから滑らかに連続する貫通孔中心側に凸の円弧形状とされている。
【００３０】
ここで、貫通孔の直径を直径４ｍｍ以上８ｍｍ以下としたのは、（１）人の瞳孔の平均直径が、例えば非常にまぶしいときは４ｍｍ、暗いところでは８ｍｍの範囲で変化することからこの瞳孔の変化に対応させたものである、また、（２）直径が４ｍｍ未満では平常時の瞳孔への入射光量が少なくなってしまい、又、８ｍｍを超えたときはコンタクトレンズの強度が小さくなってしまう、という理由もある。
【００３１】
なお貫通孔の直径が５ｍｍを超えるようにするとリリーフ領域１８を介して充分な酸素や涙液が角膜ドームの中心に供給される。直径が５ｍｍ以下の場合は、５ｍｍ超の場合と比較して酸素や涙液の供給量が少なくなるとともに、これらを供給できる角膜ドームの面積が小さくなる。
【００３２】
図１において、二点鎖線により、図５に示される従来レンズ１Ｂを示す。
【００３３】
図１及び図２に示されるように、リング状レンズ１０の周縁部２６の外径Ｄ１は、人間の角膜１２の外周縁の平均的外径Ｄ0よりも３．０〜５．０ｍｍ大きくされ、且つ、該周
縁部２６における直径がＤ0−３．０ｍｍ〜Ｄ0−５．０ｍｍの位置から最も外周までの環状領域での角膜１２に接触する側に、紫外線を遮蔽するＵＶ遮蔽膜２８が設けられている。このＵＶ遮蔽膜２８は、角膜１２に接触しても無害な材料、例えば、金、チタン、銀等の薄膜が良い。
【００３４】
この実施例１のリング状レンズ１０による遠視又は老眼の矯正は、通常通り就寝時に装着して行なう。就寝中にリング状レンズ１０が瞼によって押されて、押圧領域２０が角膜１２を押すと、その一部が貫通孔であるリリーフ領域１８内に押出されて、角膜１２を、凸レンズ状に変形させる。これによって、遠視又は老眼が矯正される。
【００３５】
上記の矯正中に、リリーフ領域１８が貫通孔であるので、この部分では空気や涙液が入り易く、角膜に酸素を供給したり、潤したりすることができる。又、貫通孔では、瞼がリング状レンズ１０に直接接触しないため、リング状レンズ１０に対して滑り易く、違和感が少ないが、前述のように、押圧領域２０によって押された角膜１２の一部がリリーフ領域１８である貫通孔内に突出するので、リング状レンズ１０の、角膜１２に対する相対移動が生じ難くなり、リング状レンズ１０が就寝中にずれることを抑制することができる。
【００３６】
又、リング状レンズ１０は、瞳孔に対応する位置のリリーフ領域１８が貫通孔であるので、この貫通孔を通して通常通り視ることができ、就寝時のみならず、通常の生活状態でも装着することができる。
【００３７】
次に、前記リング状レンズ１０を用いて矯正した角膜１２をクロスリンキングによって固定する過程について説明する。ここで、クロスリンキングとは、通常の角膜矯正用コンタクトレンズを長期間装着しないと角膜の復元力によって、元の近視や遠視の状態に戻ってしまうが、角膜を矯正状態に固定するものである。この固定は、角膜組織にリボフラビン（ビタミンＢ２）を浸透させた状態で紫外線を照射して、角膜を構成するコラーゲン同士を架橋（クロスリンキング）させて行う。
【００３８】
まず、角膜１２へ、リボフラビン（ビタミンＢ２）溶液を点眼により浸透させる。
【００３９】
次に、リボフラビンの浸透後に、実施例１のリング状レンズ１０を角膜１２に装着して、押圧領域２０により角膜１２を押圧して、押圧された角膜１２の変形により押された角膜１２の一部が、貫通孔であるリリーフ領域１８に入り込むようにする。
【００４０】
この状態で、貫通孔であるリリーフ領域１８を通して、角膜１２に紫外線を照射して、角膜１２を構成するコラーゲン繊維を架橋させる。
【００４１】
紫外線は、リング状レンズ１０の角膜１２に接触する側で、周縁部２６を覆うようにしてＵＶ遮蔽膜２８が形成されているために、角膜１２に到達することがなく、従って周縁部２６の内側にある角膜１２における万能細胞が損傷することがない。
【００４２】
又、紫外線照射終了後に、リング状レンズ１０を取り外しても、角膜１２は押圧領域２０及びリリーフ領域１８によって付加された形状のままで固定される。
【００４３】
なお、上記実施例１のリング状レンズ１０を、通常のコンタクトレンズと同様の材料によって透明に形成してもよく、又、着色したり、不透明の材料によって形成するようにしても良い。
【００４４】
更に、例えば３Ｄプリンターによってコンタクトレンズを製造することが考えられるが、この場合、全体を透明にするためには、たとえインク素材が透明であっても、粒状インクの相互の境界線が残ってレンズを不透明にするために、これを加熱処理する必要がある。
【００４５】
本発明のリング状レンズは、装着時に瞳孔又は角膜ドームの中央部に対応する部分は貫通孔とされているので、その周囲部分は不透明であっても良い。従って、本発明のリング状レンズを３Ｄプリンターで作成した後に熱処理をしたりする必要がない。
【００４６】
又、材料をＵＶ遮蔽材料（紫外線遮蔽材料）により製造しても良い。この場合、リング状レンズ１０における少なくとも押圧領域２０あるいは全体をＵＶ遮蔽材料により形成しても良い。
【００４７】
更に、前述の矯正角膜のクロスリンキング方法に用いる場合は、少なくともＵＶ遮蔽膜２８に相当する部分をＵＶ遮蔽材料によって形成すればよく、クロスリンキング方法に用いない場合は、周縁部２６、ＵＶ遮蔽膜２８を設けなくても良い。
【実施例２】
【００４８】
次に、図３を参照して、本発明の実施例２について説明する。
【００４９】
実施例２は、本発明を、カラーコンタクトレンズに適用したものである。
【００５０】
この実施例２に係るカラーコンタクトレンズ（以下、リング状カラーレンズ）３０は、おしゃれ用の場合、視力を矯正するものではないので、角膜１２の表面に沿った単純な湾曲形状とされていて、装着者の瞳孔又は角膜ドームの中央部に対応する部分は直径４ｍｍ以上８ｍｍ以下の貫通孔３２とされ、その周囲は、環状着色部３４とされている。
【００５１】
又、リング状カラーレンズ３０においては、断面において、貫通孔３２の内周面３２Ａは、角膜１２に接触するレンズ内側面３１から連続する、貫通孔３２の中心側に凸の円弧形状とされている。
【００５２】
従って、貫通孔３２の角膜１２に接触する側の端部が円弧形状となっているので、角膜１２を損傷したり、又、装着者に違和感を与えることがない。
【００５３】
このリング状カラーレンズ３０においては、角膜１２の一部が、貫通孔３２側にわずかに突出するので、眼球に対する位置は安定化される。又、実施例１のリング状レンズ１０の場合と同様に、貫通孔３２内には、酸素や涙液が供給される。
【産業上の利用可能性】
【００５４】
本発明は、角膜矯正用コンタクトレンズ、あるいはおしゃれ用カラーコンタクトレンズとして利用可能性がある。
【符号の説明】
【００５５】
１Ａ、１Ｂ…従来レンズ
１０…リング状角膜矯正用コンタクトレンズ（リング状レンズ）
１２…角膜
１４…水晶体
１８…リリーフ領域
１８Ａ…凸円弧
２０…押圧領域
２０Ａ、３２Ａ…内周面
２２…輪郭
２４…アンカー領域
２６…周縁部
２８…ＵＶ遮蔽膜
３０…カラーコンタクトレンズ（リング状カラーレンズ）
３１…レンズ内側面
３２…貫通孔
３４…環状着色部
【図１】
2016081028.tif 000003
【図２】
2016081028.tif 000004
【図３】
2016081028.tif 000005
【図４】
2016081028.tif 000006
【図５】
2016081028.tif 000007
【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
患者の角膜に接触する側に、凹部からなるリリーフ領域と凸部からなる押圧領域とが形成されていて、少なくとも押圧領域を角膜に押し付けて角膜の形状を変えることにより、遠視又は老眼の少なくとも一方を矯正するための角膜矯正用コンタクトレンズであって、
前記リリーフ領域は、角膜に装着されたときに、角膜ドームの中央部に対応する位置で直径が５ｍｍを超え８ｍｍ以下の貫通孔として形成されていて、角膜が前記貫通孔に突出して凸湾曲面を形成するようにされ、
前記押圧領域は、前記リリーフ領域の外周を囲む位置に形成された、断面が凸円弧形状の環状凸部からなり、
前記押圧領域の外周を囲む位置に設けられ、角膜に装着されたときに、角膜の輪郭に沿うような形状のアンカー領域、及び、このアンカー領域の外周を囲む周縁部のうち少なくともアンカー領域を有することを特徴とするリング状角膜矯正用コンタクトレンズ。
【請求項２】
請求項１において、
断面において、前記押圧領域は角膜側に凸の円弧形状とされ、前記貫通孔の内周面は前記押圧領域の凸円弧から滑らかに連続する貫通孔中心側に凸の円弧形状とされたことを特徴とするリング状角膜矯正用コンタクトレンズ。
【請求項３】
請求項１又は２において、
前記押圧領域及びアンカー領域のうち、少なくとも前記押圧領域は不透明材料により形成されていることを特徴とするリング状角膜矯正用コンタクトレンズ。
【請求項４】
請求項１乃至３のいずれかにおいて、
前記押圧領域及びアンカー領域のうち、少なくとも前記押圧領域は紫外線を遮蔽するＵＶ遮蔽材料により形成されていることを特徴とするリング状角膜矯正用コンタクトレンズ。
【請求項５】
請求項１乃至４のいずれかにおいて、
前記アンカー領域の外周を囲む周縁部を有し、この周縁部の外径Ｄ１は、人間の角膜の外周縁の平均的外径Ｄ0よりも３．０以上５．０ｍｍ以下大きくされ、且つ、該周縁部における直径がＤ0−３．０ｍｍ以下Ｄ0−５．０ｍｍ以上の位置から最も外周までの環状領域での角膜に接触する側に、紫外線を遮蔽するＵＶ遮蔽膜を設けたことを特徴とするリング状角膜矯正用コンタクトレンズ。
【手続補正２】
【補正対象書類名】明細書
【補正対象項目名】全文
【補正方法】変更
【補正の内容】
【発明の詳細な説明】
【技術分野】
【０００１】
本発明は、角膜ドーム中央部又は瞳孔に対応する部分が貫通孔とされたリング状コンタクトレンズに関し、特に、一定時間装着して、患者の角膜の形状を変えて、遠視が矯正された状態とするリング状角膜矯正用コンタクトレンズに関する。
【背景技術】
【０００２】
例えば、本発明者は特許文献１において、睡眠中等に装着して、患者の角膜の形状を変えることにより、取外した状態での近視及び／又は乱視を矯正するためのコンタクトレンズを提案している。本発明者は、その後、遠視又は老眼を矯正するための同様のコンタクトレンズも開発した。
【０００３】
図３に示されるように、上記のような近視矯正用のコンタクトレンズ（以下従来レンズ）１Ａは、患者の角膜２に接触する側に、凹部からなるリリーフ領域３と凸部からなる押圧領域４とが形成されていて、これらリリーフ領域３と押圧領域４とを角膜２に押し付けて角膜２の一部を押圧領域４が押し込むとともに、その反作用として、リリーフ領域３に角膜２の一部を突出させることにより、角膜２の形状を所望の裸眼視力を得ることができる形状あるいは円錐角膜を滑らかに押さえ込む形状に矯正するものである。
【０００４】
図４に示されるように、遠視又は老眼矯正用のコンタクトレンズ（以下従来レンズ）１Ｂのリリーフ領域５と押圧領域６は、近視矯正の場合と反対になる。
【０００５】
従来レンズ１Ｂでは、リリーフ領域５は角膜２に装着されたときに、角膜ドームの中央部に対応する位置で前方に凸湾曲面状に突出して形成されている。これに対して押圧領域６は、リリーフ領域５の外周を囲むようにして、断面が角膜側に凸円弧形状の環状凸部からなり、押圧領域６によって押し込められた角膜２の反作用として、角膜２の一部がリリーフ領域５の内側凹部内に入り込むようにしている。又、押圧領域６の外周を囲む位置には、角膜２に装着されたときに、角膜２の輪郭に沿うような形状のアンカー領域７を有している。又、更にそのアンカー領域７の外周を囲む周縁部８とを有していることもある。
【０００６】
（削除）
【０００７】
（削除）
【０００８】
従来の視力矯正用コンタクトレンズは、例えば、ドライアイ等の疾患の場合、使用することができなかったり、装着中にレンズの中心が瞳孔位置からずれたりすることがあった。又、角膜ドームの中央部分あるいは瞳孔に対応する部分は透明でなければならないので、出来上がりが不透明な状態となる３Ｄプリンターでは造形することができないという問題点がある。
【先行技術文献】
【特許文献】
【０００９】
【特許文献１】特許第３８８１２２１号公報
【発明の概要】
【発明が解決しようとする課題】
【００１０】
本発明は、角膜ドームの中央部分の表面に酸素や涙液が供給されて、ドライアイの場合でも使用可能であり、又、不透明な材料によっても造形することができ、更に、瞳孔を中心とする位置からずれることがないようにしたリング状角膜矯正用コンタクトレンズを提供することを課題とする。
【課題を解決するための手段】
【００１１】
本発明者は、鋭意研究の結果、遠視、老眼のための角膜矯正用コンタクトレンズの場合、リリーフ領域は必ずしも角膜に接触する必要がないことを見出し、中央部分が貫通孔とされたリング状角膜矯正用コンタクトレンズを開発した。
【００１２】
即ち、以下の実施例により上記課題を解決するものである。
【００１３】
（削除）
【００１４】
（削除）
【００１５】
（１）患者の角膜に接触する側に、凹部からなるリリーフ領域と凸部からなる押圧領域とが形成されていて、少なくとも押圧領域を角膜に押し付けて角膜の形状を変えることにより、遠視又は老眼の少なくとも一方を矯正するための角膜矯正用コンタクトレンズであって、前記リリーフ領域は、角膜に装着されたときに、角膜ドームの中央部に対応する位置で直径が５ｍｍを超え８ｍｍ以下の貫通孔として形成されていて、角膜が前記貫通孔に突出して凸湾曲面を形成するようにされ、前記押圧領域は、前記リリーフ領域の外周を囲む位置に形成された、断面が凸円弧形状の環状凸部からなり、前記押圧領域の外周を囲む位置に設けられ、角膜に装着されたときに、角膜の輪郭に沿うような形状のアンカー領域、及び、このアンカー領域の外周を囲む周縁部のうち少なくともアンカー領域を有することを特徴とするリング状角膜矯正用コンタクトレンズ。
【００１６】
（削除）
【００１７】
（２）断面において、前記押圧領域は角膜側に凸の円弧形状とされ、前記貫通孔の内周面は前記押圧領域の凸円弧から滑らかに連続する貫通孔中心側に凸の円弧形状とされたことを特徴とする（１）に記載のリング状角膜矯正用コンタクトレンズ。
【００１８】
（３）前記押圧領域及びアンカー領域のうち、少なくとも前記押圧領域は不透明材料により形成されていることを特徴とする（１）又は（２）に記載のリング状角膜矯正用コンタクトレンズ。
【００１９】
（４）前記押圧領域及びアンカー領域のうち、少なくとも前記押圧領域は紫外線を遮蔽するＵＶ遮蔽材料により形成されていることを特徴とする（１）乃至（３）のいずれかに記載のリング状角膜矯正用コンタクトレンズ。
【００２０】
（５）前記アンカー領域の外周を囲む周縁部を有し、この周縁部の外径Ｄ１は、人間の角膜の外周縁の平均的外径Ｄ0よりも３．０以上５．０ｍｍ以下大きくされ、且つ、該周縁部における直径がＤ0−３．０ｍｍ以下Ｄ0−５．０ｍｍ以上の位置から最も外周までの環状領域での角膜に接触する側に、紫外線を遮蔽するＵＶ遮蔽膜を設けたことを特徴とする（１）乃至（４）のいずれかに記載のリング状角膜矯正用コンタクトレンズ。
【００２１】
（削除）
【００２２】
（削除）
【００２３】
（削除）
【発明の効果】
【００２４】
本発明に係るリング状角膜矯正用コンタクトレンズは、装着時に、角膜ドームの中央部又は瞳孔に対応する中心部分が貫通孔とされているので、角膜ドームの中央部分の表面に酸素や涙液が供給されて、ドライアイの場合でも使用可能であり、又、不透明な材料によっても造形することができ、更に、瞳孔を中心とする位置からずれないようにすることができるという効果を有する。
【図面の簡単な説明】
【００２５】
【図１】本発明の実施例１に係るリング状角膜矯正用コンタクトレンズを模式的に示す断面図
【図２】図１のII−II線に沿うコンタクトレンズの背面図
【図３】従来の近視矯正用のコンタクトレンズを角膜及び眼球の一部と共に模式的に示す断面図
【図４】従来の遠視又は老眼矯正用のコンタクトレンズを模式的に示す図３と同様の断面図
【発明を実施するための形態】
【００２６】
本実施形態に係るリング状角膜矯正用コンタクトレンズは、遠視又は老眼の患者の角膜に接触する側に、凹部からなるリリーフ領域と凸部からなる押圧領域とが形成されていて、これらリリーフ領域と押圧領域とを角膜に押し付けて角膜の一部を押圧領域が押し込むとともに、その反作用として、リリーフ領域に角膜の一部を突出させることにより、角膜の形状を所望の裸眼視力を得ることができる形状に矯正するものであり、リリーフ領域は、角膜ドームの中央部に対応する中心部が直径が５ｍｍを超え８ｍｍ以下の貫通孔とされていて、ここに、押圧領域によって押された角膜の一部が突出されるようになっている。
【実施例１】
【００２７】
図１に示されるように、本発明の実施例１に係るリング状角膜矯正用コンタクトレンズ（以下リング状レンズ）１０は、遠視又は老眼矯正用であって、角膜１２に装着して用いられる。図１において、符号１４は水晶体を示す。
【００２８】
リング状レンズ１０は、角膜ドーム（角膜の前端面の最も隆起しているところ）の中央、もしくは、瞳孔に対応する位置で直径が５ｍｍを超え８ｍｍ以下の貫通孔として形成されたリリーフ領域１８と、このリリーフ領域１８の外周を囲む位置に形成された、断面が、角膜側に凸円弧形状の環状凸部からなる押圧領域２０と、押圧領域２０の外周を囲む位置に設けられ、角膜１２に装着されたときに、角膜１２の輪郭２２（図２参照）に沿うような形状のアンカー領域２４と、このアンカー領域２４の外周を囲む周縁部２６とを有して構成されている。
【００２９】
リング状レンズ１０は、断面において、押圧領域２０が角膜１２側に凸の円弧形状とされ、リリーフ領域１８である貫通孔の内周面２０Ａは押圧領域２０の凸円弧１８Ａから滑らかに連続する貫通孔中心側に凸の円弧形状とされている。
【００３０】
ここで、貫通孔の直径を直径が５ｍｍを超え８ｍｍ以下としたのは、（１）人の瞳孔の平均直径が、例えば非常にまぶしいときは４ｍｍ、暗いところでは８ｍｍの範囲で変化することからこの瞳孔の変化に対応させたものであり、また、（２）直径が４ｍｍ未満では平常時の瞳孔への入射光量が少なくなってしまい、又、８ｍｍを超えたときはコンタクトレンズの強度が小さくなってしまい、更に、直径が５ｍｍを超えるようにするとリリーフ領域１８を介して充分な酸素や涙液が角膜ドームの中心に供給されるが、直径が５ｍｍ以下の場合は、５ｍｍ超の場合と比較して酸素や涙液の供給量が少なくなるとともに、これらを供給できる角膜ドームの面積が小さくなる、という理由がある。
【００３１】
（削除）
【００３２】
図１において、二点鎖線により、図４に示される従来レンズ１Ｂを示す。
【００３３】
図１及び図２に示されるように、リング状レンズ１０の周縁部２６の外径Ｄ１は、人間の角膜１２の外周縁の平均的外径Ｄ0よりも３．０以上５．０ｍｍ以下大きくされ、且つ、該周縁部２６における直径がＤ0−３．０ｍｍ以下Ｄ0−５．０ｍｍ以上の位置から最も外周までの環状領域での角膜１２に接触する側に、紫外線を遮蔽するＵＶ遮蔽膜２８が設けられている。このＵＶ遮蔽膜２８は、角膜１２に接触しても無害な材料、例えば、金、チタン、銀等の薄膜が良い。
【００３４】
この実施例１のリング状レンズ１０による遠視又は老眼の矯正は、通常通り就寝時に装着して行なう。就寝中にリング状レンズ１０が瞼によって押されて、押圧領域２０が角膜１２を押すと、その一部が貫通孔であるリリーフ領域１８内に押出されて、角膜１２を、凸レンズ状に変形させる。これによって、遠視又は老眼が矯正される。
【００３５】
上記の矯正中に、リリーフ領域１８が貫通孔であるので、この部分では空気や涙液が入り易く、角膜に酸素を供給したり、潤したりすることができる。又、貫通孔では、瞼がリング状レンズ１０に直接接触しないため、リング状レンズ１０に対して滑り易く、違和感が少ないが、前述のように、押圧領域２０によって押された角膜１２の一部がリリーフ領域１８である貫通孔内に突出するので、リング状レンズ１０の、角膜１２に対する相対移動が生じ難くなり、リング状レンズ１０が就寝中にずれることを抑制することができる。
【００３６】
又、リング状レンズ１０は、瞳孔に対応する位置のリリーフ領域１８が貫通孔であるので、この貫通孔を通して通常通り視ることができ、就寝時のみならず、通常の生活状態でも装着することができる。
【００３７】
次に、前記リング状レンズ１０を用いて矯正した角膜１２をクロスリンキングによって固定する過程について説明する。ここで、クロスリンキングとは、通常の角膜矯正用コンタクトレンズを長期間装着しないと角膜の復元力によって、元の近視や遠視の状態に戻ってしまうが、角膜を矯正状態に固定するものである。この固定は、角膜組織にリボフラビン（ビタミンＢ２）を浸透させた状態で紫外線を照射して、角膜を構成するコラーゲン同士を架橋（クロスリンキング）させて行う。
【００３８】
まず、角膜１２へ、リボフラビン（ビタミンＢ２）溶液を点眼により浸透させる。
【００３９】
次に、リボフラビンの浸透後に、実施例１のリング状レンズ１０を角膜１２に装着して、押圧領域２０により角膜１２を押圧して、押圧された角膜１２の変形により押された角膜１２の一部が、貫通孔であるリリーフ領域１８に入り込むようにする。
【００４０】
この状態で、貫通孔であるリリーフ領域１８を通して、角膜１２に紫外線を照射して、角膜１２を構成するコラーゲン繊維を架橋させる。
【００４１】
紫外線は、リング状レンズ１０の角膜１２に接触する側で、周縁部２６を覆うようにしてＵＶ遮蔽膜２８が形成されているために、角膜１２に到達することがなく、従って周縁部２６の内側にある角膜１２における万能細胞が損傷することがない。
【００４２】
又、紫外線照射終了後に、リング状レンズ１０を取り外しても、角膜１２は押圧領域２０及びリリーフ領域１８によって付加された形状のままで固定される。
【００４３】
なお、上記実施例１のリング状レンズ１０を、通常のコンタクトレンズと同様の材料によって透明に形成してもよく、又、着色したり、不透明の材料によって形成するようにしても良い。
【００４４】
更に、例えば３Ｄプリンターによってコンタクトレンズを製造することが考えられるが、この場合、全体を透明にするためには、たとえインク素材が透明であっても、粒状インクの相互の境界線が残ってレンズを不透明にするために、これを加熱処理する必要がある。
【００４５】
本発明のリング状レンズは、装着時に瞳孔又は角膜ドームの中央部に対応する部分は貫通孔とされているので、その周囲部分は不透明であっても良い。従って、本発明のリング状レンズを３Ｄプリンターで作成した後に熱処理をしたりする必要がない。
【００４６】
又、材料をＵＶ遮蔽材料（紫外線遮蔽材料）により製造しても良い。この場合、リング状レンズ１０における少なくとも押圧領域２０あるいは全体をＵＶ遮蔽材料により形成しても良い。
【００４７】
更に、前述の矯正角膜のクロスリンキング方法に用いる場合は、少なくともＵＶ遮蔽膜２８に相当する部分をＵＶ遮蔽材料によって形成すればよく、クロスリンキング方法に用いない場合は、周縁部２６、ＵＶ遮蔽膜２８を設けなくても良い。
【００４８】
（削除）
【００４９】
（削除）
【００５０】
（削除）
【００５１】
（削除）
【００５２】
（削除）
【００５３】
（削除）
【産業上の利用可能性】
【００５４】
本発明は、角膜矯正用コンタクトレンズとして利用可能性がある。
【符号の説明】
【００５５】
１Ａ、１Ｂ…従来レンズ
１０…リング状角膜矯正用コンタクトレンズ（リング状レンズ）
１２…角膜
１４…水晶体
１８…リリーフ領域
１８Ａ…凸円弧
２０…押圧領域
２０Ａ、３２Ａ…内周面
２２…輪郭
２４…アンカー領域
２６…周縁部
２８…ＵＶ遮蔽膜
【手続補正４】
【補正対象書類名】図面
【補正対象項目名】全図
【補正方法】変更
【補正の内容】
【図１】
2016081028.tif 000008
【図２】
2016081028.tif 000009
【図３】
2016081028.tif 000010
【図４】
2016081028.tif 000011
【手続補正書】
【提出日】平成28年1月6日(2016.1.6)
【手続補正１】
【補正対象書類名】特許請求の範囲
【補正対象項目名】全文
【補正方法】変更
【補正の内容】
【特許請求の範囲】
【請求項１】
患者の角膜に接触する側に、凹部からなるリリーフ領域と凸部からなる押圧領域とが形成されていて、少なくとも押圧領域を角膜に押し付けて角膜の形状を変えることにより、遠視又は老眼の少なくとも一方を矯正するための角膜矯正用コンタクトレンズであって、
前記リリーフ領域は、角膜に装着されたときに、角膜ドームの中央部に対応する位置で直径が５ｍｍを超え８ｍｍ以下の貫通孔として形成されていて、角膜が前記貫通孔に突出して凸湾曲面を形成するようにされ、
前記押圧領域は、前記リリーフ領域の外周を囲む位置に形成された、断面が凸円弧形状の環状凸部からなり、
前記押圧領域の外周を囲む位置に設けられ、角膜に装着されたときに、角膜の輪郭に沿うような形状のアンカー領域、及び、このアンカー領域の外周を囲む周縁部のうち少なくともアンカー領域を有し、
断面において、前記押圧領域は、前記アンカー領域から連続する、角膜側に凸の円弧形状とされ、前記貫通孔の内周面は、前記押圧領域の凸円弧から滑らかに連続し、且つ、患者の角膜に接触しない側に連続する、貫通孔中心側に凸の円弧形状とされたことを特徴とするリング状角膜矯正用コンタクトレンズ。
【請求項２】
請求項１において、
前記押圧領域及びアンカー領域のうち、少なくとも前記押圧領域は不透明材料により形成されていることを特徴とするリング状角膜矯正用コンタクトレンズ。
【請求項３】
請求項１又は２において、
前記押圧領域及びアンカー領域のうち、少なくとも前記押圧領域は紫外線を遮蔽するＵＶ遮蔽材料により形成されていることを特徴とするリング状角膜矯正用コンタクトレンズ。
【請求項４】
請求項１乃至３のいずれかにおいて、
前記アンカー領域の外周を囲む周縁部を有し、この周縁部の外径Ｄ１は、人間の角膜の外周縁の平均的外径Ｄ0よりも３．０以上５．０ｍｍ以下大きくされ、且つ、該周縁部における直径がＤ0−３．０ｍｍ以下Ｄ0−５．０ｍｍ以上の位置から最も外周までの環状領域での角膜に接触する側に、紫外線を遮蔽するＵＶ遮蔽膜を設けたことを特徴とするリング状角膜矯正用コンタクトレンズ。
【手続補正２】
【補正対象書類名】明細書
【補正対象項目名】００１５
【補正方法】変更
【補正の内容】
【００１５】
（１）患者の角膜に接触する側に、凹部からなるリリーフ領域と凸部からなる押圧領域とが形成されていて、少なくとも押圧領域を角膜に押し付けて角膜の形状を変えることにより、遠視又は老眼の少なくとも一方を矯正するための角膜矯正用コンタクトレンズであって、前記リリーフ領域は、角膜に装着されたときに、角膜ドームの中央部に対応する位置で直径が５ｍｍを超え８ｍｍ以下の貫通孔として形成されていて、角膜が前記貫通孔に突出して凸湾曲面を形成するようにされ、前記押圧領域は、前記リリーフ領域の外周を囲む位置に形成された、断面が凸円弧形状の環状凸部からなり、前記押圧領域の外周を囲む位置に設けられ、角膜に装着されたときに、角膜の輪郭に沿うような形状のアンカー領域、及び、このアンカー領域の外周を囲む周縁部のうち少なくともアンカー領域を有し、断面において、前記押圧領域は、前記アンカー領域から連続する、角膜側に凸の円弧形状とされ、前記貫通孔の内周面は、前記押圧領域の凸円弧から滑らかに連続し、且つ、患者の角膜に接触しない側に連続する、貫通孔中心側に凸の円弧形状とされたことを特徴とするリング状角膜矯正用コンタクトレンズ。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】変更
【補正の内容】
【００１８】
（２）前記押圧領域及びアンカー領域のうち、少なくとも前記押圧領域は不透明材料により形成されていることを特徴とする（１）に記載のリング状角膜矯正用コンタクトレンズ。
【手続補正５】
【補正対象書類名】明細書
【補正対象項目名】００１９
【補正方法】変更
【補正の内容】
【００１９】
（３）前記押圧領域及びアンカー領域のうち、少なくとも前記押圧領域は紫外線を遮蔽するＵＶ遮蔽材料により形成されていることを特徴とする（１）又は（２）に記載のリング状角膜矯正用コンタクトレンズ。
【手続補正６】
【補正対象書類名】明細書
【補正対象項目名】００２０
【補正方法】変更
【補正の内容】
【００２０】
（４）前記アンカー領域の外周を囲む周縁部を有し、この周縁部の外径Ｄ１は、人間の角膜の外周縁の平均的外径Ｄ0よりも３．０以上５．０ｍｍ以下大きくされ、且つ、該周縁部における直径がＤ0−３．０ｍｍ以下Ｄ0−５．０ｍｍ以上の位置から最も外周までの環状領域での角膜に接触する側に、紫外線を遮蔽するＵＶ遮蔽膜を設けたことを特徴とする（１）乃至（３）のいずれかに記載のリング状角膜矯正用コンタクトレンズ。